(57)【特許請求の範囲】
【請求項１】
キャビネット本体の前面に扉体を備える化粧枠を設けてその内部にノズルを具備するホースを収納する消火栓装置において、
前記キャビネット本体は、前面を開放する箱状に形成するとともに、その左右面および中央部分に、その上下面に到達する補強部材が前面近傍に固定されており、かつ、前記キャビネット本体の下側には、ベース枠が固定されており、前記化粧枠は、中央に前記扉体が配置される開口部を備える断面略コ字形の枠状に形成されるとともに、複数箇所に、平面部分とその両端の脚部分を一枚板で形成した固定部材が形成されて、前記化粧枠の前記各固定部材の平面部が、前記キャビネット本体内の前記補強部材に着脱自在に固着されることを特徴とする消火栓装置。
【請求項２】
開放されるキャビネット本体前面には、化粧枠の断面コ字形の内側の平面部に当接するフランジ面を有する請求項１の消火栓装置。
【請求項３】
扉体は、その厚みの内側であって下端部に回転軸を有し、該回転軸を受ける軸受部が前記補強部材から前面側に突出して形成され、前記扉体の上側が前方に倒れるように開放することを特徴とする請求項１の消火栓装置。
【請求項４】
扉体は、平板を折り曲げて形成されるフレームを軸受部に軸支させるとともに、該フレームに表板を固定して構成されていることを特徴とする請求項１の消火栓装置。
【請求項５】
キャビネット本体の前面に扉体を備える化粧枠を設けてその内部にノズルを具備するホースを収納する消火栓装置において、
前記化粧枠は、中央の開口部に下側に回転軸を有する前方に倒れるよう開放する前傾扉と該前傾扉の上方に配置される保守扉とが備えられ、さらに、前記前傾扉は、略中央部にハンドルが設けられ、前記前傾扉の上端に該ハンドルに連動するラッチが設けられるとともに、前記保守扉の下端に前記ラッチが係合するラッチ溝が形成されることを特徴とする消火栓装置。
【請求項６】
保守扉は、上側に回転軸を有して下端を前方に持ち上げるよう開放動作するもので、該保守扉の下側の左右に係合穴が形成されるとともに、該係合穴に挿入される支持棒が左右に設けられた支持部から突出されている請求項５の消火栓装置。
【請求項７】
キャビネット本体の前面に扉体を備える化粧枠を設けてその内部にノズルを具備するホースおよび消火器を収納するとともに、前面に電気機器を配置する消火栓装置において、
前記化粧枠は、中央の開口部に消火栓用扉、電気機器取付板および消火器扉が横並びに配置されて、前記消火器扉が前記化粧枠側辺に軸支されて横開きで開放動作し、ハンドルに連動するラッチが前記消火器扉の前記化粧枠側辺側の逆側に突出され、該ラッチが係合されるラッチ溝が前記電気機器取付板に形成されていることを特徴とする消火栓装置。
【発明の詳細な説明】
【０００１】
【産業上の利用分野】
本発明は、消火栓装置に関する。
【０００２】
【従来の技術】
従来の消火栓装置は、先端にノズルが設けられた保形ホースなどが収納されているキャビネット本体に、その前面に扉体を設けてこの扉体の周囲とキャビネット本体前面との隙間をなくすように化粧枠をキャビネット本体を固定している。例えば特広平７−１２３８１号公報に示されているように、とくにトンネル向けの消火栓装置の取付構造は、通路を走行する自動車が化粧枠や扉板に衝突するときに、キャビネット本体まで変形しないように化粧枠の背面に衝撃吸収枠が形成されていた。
【０００３】
【発明が解決しようとする課題】
このように、化粧枠の背面に衝撃吸収枠を設けるためには、消火栓装置全体の奥行きが大きくなってしまう。それに対して、近年、トンネルの工法とともに各種設置機器の見直しによって小型化が要望され、衝撃吸収枠の寸法をとることが困難となっている。
【０００４】
また、上記公報では、扉体が補強されて重厚な構造となっており、軽量および簡易な構造が要望され、薄型化、小型化のため各部の簡素化が必要である。
【０００５】
したがって、本発明は、消火栓装置を薄型化するとともに、その全体の強度を簡単な構成で保持することを目的とするものである。また、前傾扉の軸受けを簡便にすることを目的とするもので、さらに、前傾扉のフレームを軽量化または簡素化することを目的とし、またさらに、前傾扉の開閉構造を簡単にするとともに、消火器扉の開閉構造を簡単にすることを目的とする。
【０００６】
【課題を解決するための手段】
上記の点に鑑み、第１の発明は、キャビネット本体の前面に扉体を備える化粧枠を設けてその内部にノズルを具備するホースを収納する消火栓装置において、前記キャビネット本体は、前面を開放する箱状に形成するとともに、その左右面および中央部分に、その上下面に到達する補強部材が前面近傍に固定されており、かつ、前記キャビネット本体の下側には、ベース枠が固定されており、前記化粧枠は、中央に前記扉体が配置される開口部を備える断面略コ字形の枠状に形成されるとともに、複数箇所に、平面部分とその両端の脚部分を一枚板で形成した固定部材が形成されて、前記化粧枠の前記各固定部材の平面部が、前記キャビネット本体内の前記補強部材に着脱自在に固着されることを特徴とするものである。
【０００９】
また、第２の発明は、キャビネット本体の前面に扉体を備える化粧枠を設けてその内部にノズルを具備するホースを収納する消火栓装置において、前記化粧枠は、中央の開口部に下側に回転軸を有する前方に倒れるよう開放する前傾扉と該前傾扉の上方に配置される保守扉とが備えられ、さらに、前記前傾扉は、略中央部にハンドルが設けられ、前記前傾扉の上端に該ハンドルに連動するラッチが設けられるとともに、前記保守扉の下端に前記ラッチが係合するラッチ溝が形成されることを特徴とするものである。
【００１０】
さらに、第３の発明は、キャビネット本体の前面に扉体を備える化粧枠を設けてその内部にノズルを具備するホースおよび消火器を収納するとともに、前面に電気機器を配置する消火栓装置において、前記化粧枠は、中央の開口部に消火栓用扉、電気機器取付板および消火器扉が横並びに配置されて、前記消火器扉が前記化粧枠側辺に軸支されて横開きで開放動作し、ハンドルに連動するラッチが前記消火器扉の前記化粧枠側辺側の逆側に突出され、該ラッチが係合されるラッチ溝が前記電気機器取付板に形成されていることを特徴とするものである。
【００１１】
【発明の実施の形態】
以下、本発明の一実施形態について図面により説明する。図において、消火栓装置１００は、消火用ホースを内巻に収納してなる、いわゆる内巻式の消火栓装置である。この消火栓装置１００は、例えばトンネル内の車道に隣接する監査路上に設置されたり、トンネルの内壁に埋設されて設置されたりするものである。
【００１２】
このような、消火栓装置１００は、図６および図７に示されるように、そのキャビネット本体１０の前面に開口部１０ａを有する化粧枠２１が設置され、その内に、先端に消火用のノズル６０を有するホース５、そのホース５を内巻に収納するホースバケット１２、三方切替弁４、圧力調整弁２、消火栓弁３等を備えている。
【００１３】
キャビネット本体１０は、図１に示されているように、前面を開放して上下面、左右面および背面を板状とした箱状に形成され、その左右面および中央部分に上下面に到達する補強部材７ａ〜ｃがスポット溶接等で堅牢に固定されている。また、各補強部材７ａ〜ｃの下面部分から背面に至る辺の部分および中央部分にも補強部材７ｄ〜ｆが、さらに縦方向に係わらない同様の補強部材７ｇが設けられ、箱状の板に対して補強枠となっている。この各補強部材７ａ〜ｇは、断面Ｌ字条の鋼材が用いられている。なお、このキャビネット本体１０の下側には、ベース枠１１が配置されて、そのベース枠１１が枠体として補強部材７ｄ〜ｇと固定されて横方向の補強の作用をなす。このベース枠１１は、略断面コ字状の枠体であるが、必要に応じて板体１１ａによって補強されている。また、キャビネット本体１０の前面側外周には、化粧枠２１の内面２１ａに当接するフランジ部１０ｆが形成され、キャビネット本体１０の開口している前面側の補強にもなっている。
【００１４】
化粧枠２１は、図１に示されるように、中央に大きく開口を備えて断面コ字状に形成された額縁状の枠体であり、その断面コ字状の内側内面２１ａに複数の取付部材２２ａ〜ｅが配置され、溶接等で強固に取り付けられている。この取付部材２２ａ〜ｅは取付穴２３が夫々形成される平面部分とその両端を化粧枠２１に到達させる脚部分を一枚板で形成され、各脚部分が溶接等によって内面２１ａに強固に固定されている。この取付部材２２ａ〜ｅは、それぞれキャビネット本体１０の補強部材７ａ〜ｃに対向し、取付部材２２ａ、２２ｂが補強部材７ａに、取付部材２２ｃが補強部材７ｂに、取付部材２２ｄ、２２ｅが補強部材７ｃに対向している。そして、各補強部材７ａ〜ｃの各取付部材２２ａ〜ｅに対応する位置に取付穴２３ａ〜ｅと合致する同様の取付穴２４ａ〜ｅが形成されている。これら、取付穴２３ａ〜ｅと取付穴２４ａ〜ｅとが、ボルト２９によってボルト締めされることによってキャビネット本体１０と化粧枠２１とが固定される。
【００１５】
また、キャビネット本体１０の補強部材７ｂの下方に支持棒３０を有する受け座３１が略Ｌ字状の板を溶接などで強固に取り付けられている。この支持棒３０に嵌め合わされる支持穴３２を有する当り片３３が、化粧枠２１の内面に略Ｌ字状の板を溶接などで強固に取り付けられて、上記のキャビネット本体１０に化粧枠２１を取り付ける際に、この支持棒３０に支持穴３２を合わせることにより位置決めするとともに、受け座３１に当り片３３を載置することで仮置きすることができる。この状態で、取付部材２２ａ〜ｅを補強部材７ａ〜ｃに取り付けることで、作業が簡便に行える。この固定状態が図２に要部を拡大した状態で示されている。
【００１６】
なお、図１において、化粧枠２１の開口１０ａの上辺には、保守扉１３の軸受部２５ａ、２５ｂが、左辺には、消火器扉２６の軸受部２７ａ、２７ｂが形成され、詳細に示さないが、上下辺には、電気機器取付板２８の４隅のねじ止め用の取付穴が内縁部分に形成されている。
【００１７】
キャビネット本体１０には、その化粧枠２１に形成された開口部１０ａを開閉自在にする前面扉として、開口部１０ａの下縁を支点として上縁側が前方に開放動作する前傾扉１４が設けられている。この上側に保守扉１３が配置され、メンテナンス時等必要に応じて開放できるものであって、放水のための操作時には前傾扉１４の開放のみで十分である。また、前傾扉１４の開放動作にはダンパ１８によって緩衝機構が付与されている。
【００１８】
前傾扉１４は、図３に示されるように、裏板１４ａを兼用するフレーム３６に表板３７をねじ止めして一体とされるもので一枚板をホースガイド１７の配置や開閉レバー１９の機構に応じて折曲を行って略Ｈ字状のフレーム３６とし、その４隅のねじ穴６３を表板３７に形成されたねじ穴３８にそれぞれ合わせてねじ止めすることで取り付けられる。この前傾扉１４は、キャビネット本体１０の補強部材７ｂ、７ｃに形成された軸受部３８ａ、３８ｂに軸支される。すなわち、略Ｌ字状の板が補強部材７ｂ、７ｃの各取付穴３９にボルト締めされ、この軸受部３８ａ、３８ｂが補強部材７ａ、７ｂから前方に突出するように形成されてその位置に軸穴４０を設けているので、前傾扉１４の回転軸がキャビネット本体１０の前方側となり取付作業が行いやすい。なお、この軸受部３８ａ、３８ｂを取り付ける補強部材７ｂ、７ｃの各取付穴３９が余裕を持った大きさに形成されていて、ボルトを緩めて締め直すことで、前傾扉１４の位置調整が行えるようになっている。また、フレーム３６の折曲部分に軸穴４１を設けているので、軸ボルト４２の位置が前傾扉１４の厚みの中に位置して、前傾扉１４の裏板１４ａの面から突出させず、前傾扉１４の薄型化を図れるとともに、軽量で簡単な構造となっている。
【００１９】
この前傾扉１４の開閉機構について、開放の際には、扉前面中央部分のハンドル４３を手前に引くことで開放できる。すなわち、図４に示されるように、ハンドル４３の移動によりロッド４４が連結棒４５を引き下げ、連結棒４５の他端がロッド４６に結合されていて、そのロッド４６の結合されたラッチ４７を引き下げてラッチ溝４８との係合を解く。このラッチ４７は前傾扉１４の上端から突出して、前傾扉１４の上側に配置された保守扉１３に設けられたラッチ溝４８に係合している。このように、前傾扉１４のラッチ４７を保守扉１３のラッチ溝４８に係合させることによって、ラッチ機構全体が小型化されて調整が容易となり、また、上側に回動して開放する保守扉１３の固定を忘れても、前傾扉１４と係合することで双方とも閉鎖状態を維持することができる。
【００２０】
保守扉１３は、化粧枠２１に形成された軸受部２５ａ、２５ｂにより軸支されて回動するが、この保守扉１３の下端部左右において、化粧枠２１および電気機器取付板２８に固定されている。この保守扉１３の固定機構について、図５に示されるように、保守扉１３の背面側には、係合穴４９を有する係合片５０が形成される。これに対して、化粧枠２１および取付板２８の背面側には、支持棒５１を突出させる支持部５２が形成されている。支持棒５１は、略ト字状で左右に移動させるための頭部５１ａを有し、２枚の規制板５２ａ、５２ｂ間を移動できるようになっている。そして、規制板５２ａ、５２ｂの中央に仕切片５３を配置して、頭部５１ａが仕切片５３の左右のいずれかに位置するように規制されている。この頭部５１ａが仕切片５３を超えて移動するときに、支持棒５１が係合穴４９から外れて、保守扉１３は開放することが可能となる。また、この保守扉１３には、詳細に示さないが、保守扉１３を持ち上げた開放状態を維持する支持ロッドが設けられ、保守扉１３を下側から支えることができるようになっている。この保守扉１３の開閉機構は、扉１３側に係合穴４９があり、支持棒５１が化粧枠２１側から突出するので、支持棒５１が突出した状態で誤って保守扉１３を閉鎖しても、消火栓装置１００の前面側が傷つかない。すなわち、これを逆に配置して、支持棒を保守扉側から突出させると、化粧枠２１に当たって塗装面が剥がれるなど傷つくことになるが、図５のように配置することで防止できる。
【００２１】
電気機器取付板２８は、その前面に、表示灯５５や発信機５６などの電気機器が取り付けられる部分であり、図示しないが、非常用コンセントや電話ジャックなどを備えている。取付板２８は、詳細に示さないが、前面の４辺から折り曲げた周縁を有し、その上下辺においてねじ止め用の取付穴を備え、化粧枠２１の内縁部分に形成されている取付穴にねじ止めされて固定される。
【００２２】
消火器扉２６は、その内側に消火器５７が配置されており、化粧枠２１に形成された軸受部２７ａ、２７ｂにより軸支されて横開きに回動して開放される。この消火器扉２６にも前面にハンドル５８が設けられ、このハンドル５８を引くことによって、前傾扉１４の図４に示されるハンドル４３と同様のラッチ機構により、消火器扉２６を開放させることができる。そのため、詳細に示さないが、消火器扉２６の右側方にラッチを突出させ、取付板２８に形成されたラッチ溝に係合させている。このように、消火器扉２６が取付板２８に対して係合することは、消火器扉２６に何かが衝突して衝撃を受けた場合に、消火器扉２６からまず取付枠２８に負荷がかかり、化粧枠２１からさらにキャビネット本体１０に衝撃が伝わりにくくなっている。これは、前傾扉１４の衝撃も同様で、一度、保守扉１３が受けてから化粧枠２１、キャビネット本体１０へと伝わるので、全体的に前面側で衝撃を受けるようになっている。
【００２３】
ホースバケット１２は、図６および図７に示されるように、ホース収納部としてその前面には、ホースバケット１２内よりホース５を引き出すため、およびホースバケット１２内にホース５を収納するための開口部が設けられている。このホースバケット１２は、キャビネット本体１０の内壁上面１０ｃから内壁下面１０ｄに至る２本の棒状体１５とその２本の棒状体１５から筐体１０の内壁背面に至る略Ｌ字状に屈曲した２枚の帯体１６とからなり、２本の棒状体１５の間が開口部となっている。ホースバケット１２がキャビネット本体１０の内壁を利用することでホース収納部を小型化し、消火栓装置１００を小型化することができる。また、２本の棒状体１５が支柱の役割にもなるので、箱状のキャビネット本体１０を補強することにもなっている。
【００２４】
前傾扉１４は、詳細に示さないが、その内部に扉内蔵機構部が設けられ、それを覆うフレーム３６を兼用した裏板１４ａが、前傾扉１４の背面側に設けられている。扉内蔵機構部には、例えば、前傾扉１４の開閉のためのラッチ機構部や、消火栓弁３の開放機構としての開閉レバー１９の動力伝達のための機構がある。また、この前傾扉１４の背面側には、前傾扉１４を閉じたときにホースバケット１２と対向する位置に収納凹部１４ｂが設けられており、ホース５のたるみ部分を収納しておくことができる。これにより、前傾扉１４とホースバケット１２との間を狭くしてもホース５が挟まるおそれがない。
【００２５】
また、図７に示されるように、前傾扉１４の裏板１４ａ側には、ノズル６０がノズルホルダ６０ｈに設けられ、さらに、ホースガイド１７が設けられ、このホースガイド１７は略逆Ｕ字状に形成されている。このホースガイド１７の内部にホース５が挿通されるホースガイド１７の内面にホース５を接触させながら引き出すことで、収納されているホース５のばらけを防止するとともに、前傾扉１４の裏板１４ａに沿ってホース５が引き出されるときに引き出し方向による開閉レバー１９やダンパ１８等への引っ掛かりを防止することができる。
【００２６】
以上のように、第１の発明は、キャビネット本体の前面に扉体を備える化粧枠を設けてその内部にノズルを具備するホースを収納する消火栓装置において、前記キャビネット本体は、前面を開放する箱状に形成するとともに、その左右面および中央部分に、その上下面に到達する補強部材が前面近傍に固定されており、かつ、前記キャビネット本体の下側には、ベース枠が固定されており、前記化粧枠は、中央に前記扉体が配置される開口部を備える断面略コ字形の枠状に形成されるとともに、複数箇所に、平面部分とその両端の脚部分を一枚板で形成した固定部材が形成されて、前記化粧枠の前記各固定部材の平面部が、前記キャビネット本体内の前記補強部材に着脱自在に固着されるので、消火栓装置を薄型化するとともに、その全体の強度を簡単な構成で保持することが可能である。
【００２９】
また、第２の発明は、キャビネット本体の前面に扉体を備える化粧枠を設けてその内部にノズルを具備するホースを収納する消火栓装置において、前記化粧枠は、中央の開口部に下側に回転軸を有する前方に倒れるよう開放する前傾扉と該前傾扉の上方に配置される保守扉とが備えられ、さらに、前記前傾扉は、略中央部にハンドルが設けられ、前記前傾扉の上端に該ハンドルに連動するラッチが設けられるとともに、前記保守扉の下端に前記ラッチが係合するラッチ溝が形成されるので、消火栓装置を薄型化するとともに、その全体の強度を簡単な構成で保持することが可能である。また、前傾扉の開閉構造を簡単にすることになる。
【００３０】
さらに、第３の発明は、キャビネット本体の前面に扉体を備える化粧枠を設けてその内部にノズルを具備するホースおよび消火器を収納するとともに、前面に電気機器を配置する消火栓装置において、前記化粧枠は、中央の開口部に消火栓用扉、電気機器取付板および消火器扉が横並びに配置されて、前記消火器扉が前記化粧枠側辺に軸支されて横開きで開放動作し、ハンドルに連動するラッチが前記消火器扉の前記化粧枠側辺側の逆側に突出され、該ラッチが係合されるラッチ溝が前記電気機器取付板に形成されているので、消火栓装置を薄型化するとともに、その全体の強度を簡単な構成で保持することが可能である。また、消火器扉の開閉構造を簡単にすることになる。
【図面の簡単な説明】
【図１】本発明のキャビネット本体と化粧枠との関係を示す斜視図。
【図２】図１の取付状態を示す断面図。
【図３】本発明のキャビネット本体と前傾扉との関係を示す斜視図。
【図４】本発明の前傾扉の開閉機構を示す断面図。
【図５】本発明の保守扉の固定機構を示す外観図。
【図６】本発明の消火栓装置を示す正面図。
【図７】図６の前傾扉開放状態を示す平面断面図。
【符号の説明】
５    ホース
１０    キャビネット本体
１３    保守扉
１４    前傾扉
２１    化粧枠
２６    消火器扉
２８    電気機器取付板
１００    消火栓装置
【図１】
0003611191.tif 000002
【図２】
0003611191.tif 000003
【図３】
0003611191.tif 000004
【図４】
0003611191.tif 000005
【図５】
0003611191.tif 000006
【図６】
0003611191.tif 000007
【図７】
0003611191.tif 000008